【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
各移動体通信端末の移動体通信端末識別情報に、各情報通信端末を識別する情報通信端末識別情報を、対応付けて記憶する端末識別情報記憶手段と、
要求に応じて、端末識別情報記憶手段を管理する端末識別情報管理手段と、
を備える電子会議システムに含まれる第一の情報通信端末を、
第一の移動体通信端末から、第二の移動体通信端末の移動体通信端末識別情報を取得する、第一の接続先移動体通信端末識別情報取得手段、
取得要求を端末識別情報管理手段に出して、第二の移動体通信端末の移動体通信端末識別情報に対応した第二の情報通信端末の情報通信端末識別情報を取得する第一の接続先情報通信端末識別情報管理手段、
取得した第二の情報通信端末の情報通信端末識別情報によって指定して、第二の情報通信端末に通信網を介して接続する情報通信端末接続手段、
として機能させる接続切替プログラム。
【請求項２】
請求項１記載のプログラムであって、
第二の情報通信端末を、
第二の移動体通信端末から、第一の移動体通信端末の移動体通信端末識別情報を取得する、第二の接続先移動体通信端末識別情報取得手段、
登録要求を端末識別情報管理手段に出して、第二の移動体通信端末の移動体通信端末識別情報に対応して第二の情報通信端末の情報通信端末識別情報を登録させる第二の接続先情報通信端末識別情報管理手段、
として機能させる接続切替プログラム。
【請求項３】
請求項２記載のプログラムであって、
第一の接続先情報通信端末識別情報管理手段は、
登録要求を端末識別情報管理手段に出して、第一の移動体通信端末の移動体通信端末識別情報に対応して第一の情報通信端末の情報通信端末識別情報を登録させ、
第二の接続先情報通信端末識別情報管理手段は、
登録要求を端末識別情報管理手段に出して、第二の移動体通信端末の移動体通信端末識別情報に対応して第二の情報通信端末の情報通信端末識別情報を登録させ、
取得要求を端末識別情報管理手段に出して、第一の接続先情報通信端末識別情報管理手段によって登録された、第一の移動体通信端末の移動体通信端末識別情報に対応した第一の情報通信端末の情報通信端末識別情報を取得し、
端末識別情報管理手段より取得した第一の情報通信端末の情報通信端末識別情報を指定して、第一の情報通信端末に通信網を介して接続する、
ことを特徴とする接続切替プログラム。
【請求項４】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
電子会議の構成メンバーが用いる通信端末を接続させる多地点接続装置と、
各移動体通信端末の移動体通信端末識別情報に、接続に用いられる多地点接続装置を識別する多地点接続端末識別情報を、対応付けて記憶する多地点接続情報記憶手段と、
要求に応じて、多地点接続情報記憶手段を管理する多地点接続情報管理手段と、
を備える電子会議システムに含まれる
第一の情報通信端末を、
第一の移動体通信端末から、第一および第二の移動体通信端末の各移動体通信端末識別情報を取得する、第一の接続先移動体通信端末識別情報取得手段、
登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段、
として機能させ、
第二の情報通信端末を、
第二の移動体通信端末から、第一および第二の移動体通信端末の各移動体通信端末識別情報を取得する、第二の接続先移動体通信端末識別情報取得手段、
更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段、
として機能させ、
多地点接続装置を、
取得要求を多地点接続情報管理手段に出して、多地点接続情報記憶手段から多地点接続端末識別情報に対応する、第一および第二の情報通信端末の各情報通信端末識別情報を取得する接続対象取得手段、
多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段、
として機能させる接続切替プログラム。
【請求項５】
第一の情報通信端末と、
第一の情報通信端末と通信網を介して接続される第二の情報通信端末と、
第一の情報通信端末と情報交換可能な第一の移動体通信端末と、
第二の情報通信端末と情報交換可能な第二の移動体通信端末と、
第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備える電子会議システムに含まれる第一の情報通信端末を、
取得要求を接続先情報管理手段に出して、第二の情報通信端末の情報通信端末識別情報に対応した端末接続情報を取得する接続先情報取得手段、
接続先情報管理手段より取得した端末接続情報を、第一の移動体通信端末に発呼させるために第一の移動体通信端末に送信する、端末接続情報送信手段、
として機能させる接続切替プログラム。
【請求項６】
請求項５記載の接続切替プログラムであって、
端末接続情報は、
第二の移動体通信端末に接続するための情報、または第二の情報通信端末に接続するための情報である
ことを特徴とする接続切替プログラム。
【請求項７】
多地点接続装置と、
多地点接続装置に通信網を介して接続される第一の情報通信端末と、
多地点接続装置を介して第一の情報通信端末に接続される第二の情報通信端末と、
第一の情報通信端末と情報交換可能な第一の移動体通信端末と、
第二の情報通信端末と情報交換可能な第二の移動体通信端末と、
多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備える電子会議システムに含まれる第一の情報通信端末を、
取得要求を接続先情報管理手段に出して、第二の情報通信端末の情報通信端末識別情報に対応した端末接続情報を取得させる接続先情報取得手段、
接続先情報管理手段より取得した端末接続情報を、第一の移動体通信端末に発呼させるために第一の移動体通信端末に送信する、端末接続情報送信手段、
として機能させる接続切替プログラム。
【請求項８】
請求項７記載の接続切替プログラムであって、
端末接続情報は、
第二の移動体通信端末に接続するための情報、または第一の情報通信端末に接続された多地点接続装置に接続するための情報である
ことを特徴とする接続切替プログラム。
【請求項９】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
を備える電子会議システムにおいて、
各移動体通信端末の移動体通信端末識別情報に、各情報通信端末を識別する情報通信端末識別情報を、対応付けて記憶する端末識別情報記憶手段と、
要求に応じて、端末識別情報記憶手段を管理する端末識別情報管理手段と、
を備え、
第一の情報通信端末は、
第一の移動体通信端末から、第二の移動体通信端末の移動体通信端末識別情報を取得する、接続先移動体通信端末識別情報取得手段と、
取得要求を端末識別情報管理手段に出して、第二の移動体通信端末の移動体通信端末識別情報に対応した第二の情報通信端末の情報通信端末識別情報を取得する接続先情報通信端末識別情報管理手段と、
取得した第二の情報通信端末の情報通信端末識別情報を指定して、第二の情報通信端末に通信網を介して接続する情報通信端末接続手段と、
を備えることを特徴とする電子会議システム。
【請求項１０】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
を備える電子会議システムにおいて、
電子会議の構成メンバーが用いる通信端末を接続させる多地点接続装置と、
各移動体通信端末の移動体通信端末識別情報に、接続に用いられる多地点接続装置を識別する多地点接続端末識別情報を、対応付けて記憶する多地点接続情報記憶手段と、
要求に応じて、多地点接続情報記憶手段を管理する多地点接続情報管理手段と、
を備え、
第一の情報通信端末は、
第一の移動体通信端末から、第一および第二の移動体通信端末の各移動体通信端末識別情報を取得する、第一の接続先移動体通信端末識別情報取得手段と、
登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段と、
を備え、
第二の情報通信端末は、
第二の移動体通信端末から、第一および第二の移動体通信端末の各移動体通信端末識別情報を取得する、第二の接続先移動体通信端末識別情報取得手段と、
更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段と、
を備え、
多地点接続装置は、
取得要求を多地点接続情報管理手段に出して、多地点接続情報記憶手段から多地点接続端末識別情報に対応する、第一および第二の情報通信端末の各情報通信端末識別情報を取得する接続対象取得手段と、
多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段と、
を備えることを特徴とする電子会議システム。
【請求項１１】
第一の情報通信端末と、
第一の情報通信端末と通信網を介して接続される第二の情報通信端末と、
第一の情報通信端末と情報交換可能な第一の移動体通信端末と、
第二の情報通信端末と情報交換可能な第二の移動体通信端末と、
を備える電子会議システムにおいて、
第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備え、
第一の情報通信端末は、
取得要求を接続先情報管理手段に出して、第二の情報通信端末の情報通信端末識別情報に対応した端末接続情報を取得する接続先情報取得手段と、
接続先情報管理手段より取得した端末接続情報を、第一の移動体通信端末に発呼させるために第一の移動体通信端末に送信する、端末接続情報送信手段と、
を備えることを特徴とする電子会議システム。
【請求項１２】
多地点接続装置と、
多地点接続装置に通信網を介して接続される第一の情報通信端末と、
多地点接続装置を介して第一の情報通信端末に接続される第二の情報通信端末と、
第一の情報通信端末と情報交換可能な第一の移動体通信端末と、
第二の情報通信端末と情報交換可能な第二の移動体通信端末と、
を備える電子会議システムにおいて、
多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、
要求に応じて、多地点接続情報記憶手段を管理する多地点接続情報管理手段と、
を備え、
第一の情報通信端末は、
取得要求を多地点接続情報管理手段に出して、多地点接続装置の多地点接続装置識別情報に対応した多地点接続端末接続情報を取得する多地点接続端末接続情報取得手段と、
接続先情報管理手段より取得した多地点接続端末接続情報を、第一の移動体通信端末に発呼させるために第一の移動体通信端末に送信する、端末接続情報送信手段と、
を備えることを特徴とする電子会議システム。
【請求項１３】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
各移動体通信端末の移動体通信端末識別情報に、各情報通信端末を識別する情報通信端末識別情報を、対応付けて記憶する端末識別情報記憶手段と、
要求に応じて、端末識別情報記憶手段を管理する端末識別情報管理手段と、
を備える電子会議システムにより実施される接続切替方法において、
第一の情報通信端末が、
第一の移動体通信端末から、第二の移動体通信端末の移動体通信端末識別情報を取得するステップと、
取得要求を端末識別情報管理手段に出して、取得した第二の移動体通信端末の移動体通信端末識別情報に対応した第二の情報通信端末の情報通信端末識別情報を取得するステップと、
取得した第二の情報通信端末の情報通信端末識別情報を指定して、第二の情報通信端末に通信網を介して接続するステップと、
を含むことを特徴とする接続切替方法。
【請求項１４】
第一の情報通信端末と、
第一の情報通信端末と通信網を介して接続される第二の情報通信端末と、
第一の情報通信端末と情報交換可能な第一の移動体通信端末と、
第二の情報通信端末と情報交換可能な第二の移動体通信端末と、
第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備える電子会議システムにより実施される接続切替方法において、
第一の情報通信端末が、
取得要求を接続先情報管理手段に出して、第二の情報通信端末の情報通信端末識別情報に対応した端末接続情報を取得するステップと、
接続先情報管理手段より取得した端末接続情報を、第一の移動体通信端末に発呼させるために第一の移動体通信端末に送信するステップと、
を含むことを特徴とする接続切替方法。
【手続補正２】
【補正対象書類名】明細書
【補正対象項目名】００２０
【補正方法】変更
【補正の内容】
【００２０】
本発明の接続切替プログラムの一態様においては、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、電子会議の構成メンバーが用いる通信端末を接続させる多地点接続装置と、各移動体通信端末の移動体通信端末識別情報に、接続に用いられる多地点接続装置を識別する多地点接続端末識別情報を、対応付けて記憶する多地点接続情報記憶手段と、要求に応じて、多地点接続情報記憶手段を管理する多地点接続情報管理手段と、を備える電子会議システムに含まれる第一の情報通信端末を、第一の移動体通信端末から、第一および第二の移動体通信端末の各移動体通信端末識別情報を取得する、第一の接続先移動体通信端末識別情報取得手段、登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段、として機能させ、第二の情報通信端末を、第二の移動体通信端末から、第一および第二の移動体通信端末の各移動体通信端末識別情報を取得する、第二の接続先移動体通信端末識別情報取得手段、更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段、として機能させ、多地点接続装置を、取得要求を多地点接続情報管理手段に出して、多地点接続情報記憶手段から多地点接続端末識別情報に対応する、第一および第二の情報通信端末の各情報通信端末識別情報を取得する接続対象取得手段、多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段、として機能させることを特徴とする接続切替プログラムである。
【手続補正３】
【補正対象書類名】明細書
【補正対象項目名】００２６
【補正方法】変更
【補正の内容】
【００２６】
また、本発明の電子会議システムは、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、を備える電子会議システムにおいて、電子会議の構成メンバーが用いる通信端末を接続させる多地点接続装置と、各移動体通信端末の移動体通信端末識別情報に、接続に用いられる多地点接続装置を識別する多地点接続端末識別情報を、対応付けて記憶する多地点接続情報記憶手段と、要求に応じて、多地点接続情報記憶手段を管理する多地点接続情報管理手段と、を備え、第一の情報通信端末は、第一の移動体通信端末から、第一および第二の移動体通信端末の各移動体通信端末識別情報を取得する、第一の接続先移動体通信端末識別情報取得手段と、登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段と、を備え、第二の情報通信端末は、第二の移動体通信端末から、第一および第二の移動体通信端末の各移動体通信端末識別情報を取得する、第二の接続先移動体通信端末識別情報取得手段と、更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段と、を備え、多地点接続装置は、取得要求を多地点接続情報管理手段に出して、多地点接続情報記憶手段から多地点接続端末識別情報に対応する、第一および第二の情報通信端末の各情報通信端末識別情報を取得する接続対象取得手段と、多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段と、を備えることを特徴とする。
【手続補正４】
【補正対象書類名】明細書
【補正対象項目名】００２８
【補正方法】変更
【補正の内容】
【００２８】
また、本発明の電子会議システムは、多地点接続装置と、多地点接続装置に通信網を介して接続される第一の情報通信端末と、多地点接続装置を介して第一の情報通信端末に接続される第二の情報通信端末と、第一の情報通信端末と情報交換可能な第一の移動体通信端末と、第二の情報通信端末と情報交換可能な第二の移動体通信端末と、を備える電子会議システムにおいて、多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、要求に応じて、多地点接続情報記憶手段を管理する多地点接続情報管理手段と、を備え、第一の情報通信端末は、取得要求を多地点接続情報管理手段に出して、多地点接続装置の多地点接続装置識別情報に対応した多地点接続端末接続情報を取得する多地点接続端末接続情報取得手段と、接続先情報管理手段より取得した多地点接続端末接続情報を、第一の移動体通信端末に発呼させるために第一の移動体通信端末に送信する、端末接続情報送信手段と、を備えることを特徴とする。
【手続補正５】
【補正対象書類名】明細書
【補正対象項目名】００２９
【補正方法】変更
【補正の内容】
【００２９】
本発明の接続切替方法は、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、各移動体通信端末の移動体通信端末識別情報に、各情報通信端末を識別する情報通信端末識別情報を、対応付けて記憶する端末識別情報記憶手段と、要求に応じて、端末識別情報記憶手段を管理する端末識別情報管理手段と、を備える電子会議システムにより実施される接続切替方法において、第一の情報通信端末が、第一の移動体通信端末から、第二の移動体通信端末の移動体通信端末識別情報を取得するステップと、取得要求を端末識別情報管理手段に出して、取得した第二の移動体通信端末の移動体通信端末識別情報に対応した第二の情報通信端末の情報通信端末識別情報を取得するステップと、取得した第二の情報通信端末の情報通信端末識別情報を指定して、第二の情報通信端末に通信網を介して接続するステップと、を含むことを特徴とする。
【手続補正６】
【補正対象書類名】明細書
【補正対象項目名】００３０
【補正方法】変更
【補正の内容】
【００３０】
また、本発明の接続切替方法は、第一の情報通信端末と、第一の情報通信端末と通信網を介して接続される第二の情報通信端末と、第一の情報通信端末と情報交換可能な第一の移動体通信端末と、第二の情報通信端末と情報交換可能な第二の移動体通信端末と、第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、要求に応じて、端末接続情報記憶手段を管理する端末接続情報管理手段と、を備える電子会議システムにより実施される接続切替方法において、第一の情報通信端末が、取得要求を接続先情報管理手段に出して、第二の情報通信端末の情報通信端末識別情報に対応した端末接続情報を取得するステップと、接続先情報管理手段より取得した端末接続情報を、第一の移動体通信端末に発呼させるために第一の移動体通信端末に送信するステップと、を含むことを特徴とする。
【手続補正７】
【補正対象書類名】明細書
【補正対象項目名】００３２
【補正方法】変更
【補正の内容】
【００３２】
また、本発明によれば、第一の情報通信端末を用いて電子会議に参加している状態から、第一の移動体通信端末を用いた電子会議への参加に切り替える場合に、第一の移動体通信端末に、接続先の通信端末の識別情報を送信することが出来るので、第一の移動体通信端末を用いて継続して電子会議に参加することが出来る。
【手続補正８】
【補正対象書類名】明細書
【補正対象項目名】００３９
【補正方法】変更
【補正の内容】
【００３９】
サーバー６０は、情報通信端末の一つであり、各電子会議端末２０，３０、および各携帯電話４０，５０などの通信端末に接続するために必要な端末識別情報を管理する端末識別情報管理手段である。サーバー６０は、ＩＰネットワーク網９０を介して各電子会議端末２０，３０に接続されており、各電子会議端末２０，３０から接続情報の取得要求がある場合、指定された条件に合致する接続情報を返す。
【手続補正９】
【補正対象書類名】明細書
【補正対象項目名】００６７
【補正方法】変更
【補正の内容】
【００６７】
最初に、第一の携帯電話４０における処理について、図３を用いて説明する。図３は、各携帯電話４０，５０が必要な情報を各近距離通信ＩＣ４６，５６に書き込む処理を示すフローチャートである。
【手続補正１０】
【補正対象書類名】明細書
【補正対象項目名】０１００
【補正方法】変更
【補正の内容】
【０１００】
電子会議管理部２４は、ＩＣカードリーダライタ２２から、電話番号ａ１，ｂ１を受信すると、ディレクトリ管理部６２に、電話番号ａ１と電子会議端末のＩＰアドレスの登録通知を送信する。一方、電子会議管理部３４も、ディレクトリ管理部６２に第一の携帯電話４０の電話番号ａ１に対応付けられているＩＰアドレスの登録通知を送信する。電子会議管理部２４により実行される処理と電子会議管理部３４により実行される処理のうち、どちらが先に実行されるかは前もって知ることは出来ない。そのため説明の便宜上、ここでは、電子会議管理部２４により実行される処理の方が先に実行されるものとして説明を進める。ディレクトリ管理部６２は、電子会議管理部２４から登録通知を受信すると、携帯電話情報管理テーブル１０２が、第二の電子会議端末の通知を受信して更新されないように、携帯電話情報管理テーブル１０２にロックを掛ける。その上で、ディレクトリ管理部６２は、ディレクトリデータベース６４の携帯電話情報管理テーブル１０２へ、第一の携帯電話４０の電話番号ａ１と第一の電子会議端末２０のＩＰアドレスａを登録する（ステップ５４０）。
【手続補正１１】
【補正対象書類名】明細書
【補正対象項目名】０１０７
【補正方法】変更
【補正の内容】
【０１０７】
電子会議管理部３４は、ＩＣカードリーダライタ３２から、電話番号ａ１，ｂ１を受信すると、ディレクトリ管理部６２に、電話番号ｂ１と第二の電子会議端末３４のＩＰアドレスを登録するように通知する。ディレクトリ管理部６２は、その通知を受信する。しかし、ディレクトリ管理部６２は、電子会議管理部２４の処理によって発生したステップ５４０〜ステップ５４０によって携帯電話情報管理テーブル１０２がロックされているため、携帯電話情報管理テーブル１０２を更新できない。そこで、ディレクトリ管理部６２は、携帯電話情報管理テーブル１０２のロックが解除されるまで待機する。
【手続補正１２】
【補正対象書類名】明細書
【補正対象項目名】０１０８
【補正方法】変更
【補正の内容】
【０１０８】
ロックが解除されると、ディレクトリ管理部６２は、携帯電話情報管理テーブル１０２が更新されないように、ロックを掛ける。その上で、ディレクトリ管理部６２は、ディレクトリデータベース６４の携帯電話情報管理テーブル１０２へ、第二の携帯電話５０の電話番号ｂ１と第二の電子会議端末３０のＩＰアドレスｂを登録する（ステップ５４０’）。
【手続補正１３】
【補正対象書類名】明細書
【補正対象項目名】０１１５
【補正方法】変更
【補正の内容】
【０１１５】
電子会議管理部２４は、ＩＣカードリーダライタ２２から、電話番号ａ１，ｂ１を受信すると、ＩＰネットワーク網９０を通じて、ディレクトリ管理部６２に、多地点接続管理テーブル１０６から、第一の携帯電話４０の電話番号ａ１に対応する情報の取得要求通知を送信する。一方、電子会議管理部３４も、ディレクトリ管理部６２に第一の携帯電話４０の電話番号ａ１に対応する情報の取得要求通知を送信する。電子会議管理部２４により実行される処理と電子会議管理部３４により実行される処理のうち、どちらが先に実行されるかは前もって知ることは出来ない。説明の便宜上、ここでは、電子会議管理部２４により実行される処理の方が、電子会議管理部３４により実行される処理より先に実行されるものとして説明を進める。